(57)【要約】【課題】様々な入力インターフェイスであるコンピュータウイルス検査対象の媒体の入力デバイスを備えて、保守作業性に優れ、使用し易い外部メデイア検査端末装置を提供する。【解決手段】３つの前面扉が、箱体の前面に回動開閉可能に設けられていて、３つの前面扉を回動開放させ、最上位の内部空間部、中間空間部及び最下位の内部空間部をそれぞれ箱体の前面に対して露出させ、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材を箱体の前面に対して露出させる。【選択図】図３
2018128754.tif 000002
【特許請求の範囲】
【請求項１】
外部メデイア検査のためのデータ及び情報を入力し、入力データ及び情報を予め定められた手法によって情報処理することで、外部メデイア情報処理結果を出力する外部メデイア検査端末装置であって、
箱体と、箱体の前面に回動開閉可能に設けた３つの前面扉、両側方をそれぞれ形成する側方板及び裏面を形成する裏面板と、箱体に内部に配置された、タッチパネルモニター、スピーカー、プリンター、DVDドライブ、マルチカードリーダ、FDDドライブ、パソコン（PC）、無停電電源装置（UPS）及び配電装置からなる、結線された諸部材と、からなり、
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置され、
最上位の前面扉が、扉自体にタッチパネルモニターが形成されて、タッチパネルモニター付きの扉とされ、回転開放されると、最上位の内部空間部に配設されたスピーカーを前面に向けて露出させ、
中間の前面扉が、データ入出力のためのデータ入出力孔が形成されたデータ入出力孔を有する扉とされ、回動開放されると、中間空間部内に配設されたプリンター、DVDドライブ、マルチカードリーダ及びFDDドライブを前面に向けて露出させ、
最下位の前面扉が、扉裏面にPC、UPS及び配電装置が取り付けられ、回動開放されると、最下位の内部空間部を作業空間部として露出させること
を特徴とする外部メデイア検査端末装置。
【請求項２】
外部メデイア検査のためのデータ及び情報を入力し、入力データ及び情報を予め定められた手法によって情報処理することで、外部メデイア情報処理結果を出力する外部メデイア検査端末装置であって、
箱体と、３つの前面扉、両側方をそれぞれ形成する側方板及び裏面を形成する裏面板と、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材と、からなり、
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置され、
３つの前面扉が、箱体の前面に回動開閉可能に設けられて、回動開放されると、最上位の内部空間部、中間空間部及び最下位の内部空間部をそれぞれ箱体の前面に対して露出させ、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材を箱体の前面に対して露出させること
を特徴とする外部メデイア検査端末装置。
【請求項３】
外部メデイア検査のためのデータ及び情報を入力し、入力データ及び情報を予め定められた手法によって情報処理することで、外部メデイア情報処理結果を出力する外部メデイア検査端末装置の操作方法であって、
箱体と、３つの前面扉、両側方をそれぞれ形成する側方板及び裏面を形成する裏面板と、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材と、からなり、
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置され、
３つの前面扉が、箱体の前面に回動開閉可能に設けられていて、
３つの前面扉を回動開放させ、最上位の内部空間部、中間空間部及び最下位の内部空間部をそれぞれ箱体の前面に対して露出させ、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材を箱体の前面に対して露出させること
を特徴とする外部メデイア検査端末装置の操作方法。
【発明の詳細な説明】
【技術分野】
【０００１】
本発明は、外部メデイア検査端末装置及び外部メデイア検査端末装置の操作方法に関する。
【背景技術】
【０００２】
様々な入出力インターフェイスを備えた情報キオスク端末装置が提案されてきた。
【０００３】
特許文献１には、複数台のキオスク端末装置を並べたときの転倒防止構造が記載されている。
【０００４】
特許文献２には、基台の上部に設けられ、前方に引出し可能な取引部と、取引部の上方に設けられた表示部とを備えた情報キオスク端末装置が記載されている。
【０００５】
キオスク端末装置は、持ち込み外部記憶媒体のファイルをポリシーに基づいてブロックやウイルススキャンし、メデイア内に潜む脅威を強力にシャットアウトする装置として知られている。
【先行技術文献】
【特許文献】
【０００６】
【特許文献１】特開２００７−２９３５８０号公報
【特許文献２】特開２００９−２８２７１０号公報
【発明の概要】
【発明が解決しようとする課題】
【０００７】
外部メデイア検査端末装置において、客が持参したCD、SDカード、スマート・メデイア等の様々な媒体についてコンピュータウイルス検査を行い、検査結果を出力することが求められる。また、検査結果を表示するためのモニターが設置される。このような要求のため様々な入力インターフェイスを提供するためのデバイスを密集して配置させることになるので、保守性を悪化させる要因になる。
【０００８】
このような外部メデイア検査端末装置において、使い勝手性を確保するばかりでなく、保守作業の効率性を確保することが重要である。特許文献に記載された従来の技術では、この保守作業性が十分に確保されているとはいえない。
【０００９】
本発明は、かかる点に鑑みて様々な入力インターフェイスであるコンピュータウイルス検査対象の媒体の入力デバイスを備えて、保守作業性に優れ、使用し易い外部メデイア検査端末装置を提供することを目的とする。
【課題を解決するための手段】
【００１０】
本発明の外部メデイア検査端末装置は、外部メデイア検査のためのデータ及び情報を入力し、入力データ及び情報を予め定められた手法によって情報処理することで、外部メデイア情報処理結果を出力する外部メデイア検査端末装置であって、
箱体と、箱体の前面に回動開閉可能に設けた３つの前面扉、両側方をそれぞれ形成する側方板及び裏面を形成する裏面板と、箱体に内部に配置された、タッチパネルモニター、スピーカー、プリンター、DVDドライブ、マルチカードリーダ、FDDドライブ、パソコン（PC）、無停電電源装置（UPS）及び配電装置からなる、結線された諸部材と、からなり、
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置され、
最上位の前面扉が、扉自体にタッチパネルモニターが形成されて、タッチパネルモニター付きの扉とされ、回転開放されると、最上位の内部空間部に配設されたスピーカーを前面に向けて露出させ、
中間の前面扉が、データ入出力のためのデータ入出力孔が形成されたデータ入出力孔を有する扉とされ、回動開放されると、中間空間部内に配設されたプリンター、DVDドライブ、マルチカードリーダ及びFDDドライブを前面に向けて露出させ、
最下位の前面扉が、扉裏面にPC、UPS及び配電装置が取り付けられ、回動開放されると、最下位の内部空間部を作業空間部として露出させること
を特徴としている。
【００１１】
本発明の外部メデイア検査端末装置は、外部メデイア検査のためのデータ及び情報を入力し、入力データ及び情報を予め定められた手法によって情報処理することで、外部メデイア情報処理結果を出力する外部メデイア検査端末装置であって、
箱体と、３つの前面扉、両側方をそれぞれ形成する側方板及び裏面を形成する裏面板と、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材と、からなり、
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置され、
３つの前面扉が、箱体の前面に回動開閉可能に設けられて、回動開放されると、最上位の内部空間部、中間空間部及び最下位の内部空間部をそれぞれ箱体の前面に対して露出させ、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材を箱体の前面に対して露出させること
を特徴としている。
【００１２】
本発明の外部メデイア検査端末装置の操作方法は、外部メデイア検査のためのデータ及び情報を入力し、入力データ及び情報を予め定められた手法によって情報処理することで、外部メデイア情報処理結果を出力する外部メデイア検査端末装置の操作方法であって、
箱体と、３つの前面扉、両側方をそれぞれ形成する側方板及び裏面を形成する裏面板と、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材と、からなり、
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置され、
３つの前面扉が、箱体の前面に回動開閉可能に設けられていて、
３つの前面扉を回動開放させ、最上位の内部空間部、中間空間部及び最下位の内部空間部をそれぞれ箱体の前面に対して露出させ、箱体に内部に配置された、タッチパネルモニター、スピーカー、プリンター、コンピュータウイルス検査対象の媒体の入力デバイス、パソコン（PC）、無停電電源装置（UPS）及び配電装置からなる、結線された諸部材を箱体の前面に対して露出させること
を特徴としている。
【発明の効果】
【００１３】
本発明によれば、３つの前面扉が、各空間部の前面に、上から順に垂直面を中心にして配置され、３つの前面扉が、箱体の前面に回転開閉可能に設けられて、回転開放されると、最上位の内部空間部、中間空間部及び最下位の内部空間部をそれぞれ箱体の前面に対して露出させる。これに伴って、箱体に内部に配置された、タッチパネルモニター、スピーカー、プリンター、DVDドライブ、マルチカードリーダ、FDDドライブ、パソコン（PC）、無停電電源装置（UPS）及び配電装置からなる、結線された諸部材を箱体の前面に対して露出させることができる。
【００１４】
これによって、様々な入力インターフェイスであるコンピュータウイルス検査対象の媒体の入力デバイスを備えて、保守作業性に優れ、使用し易い外部メデイア検査端末装置を提供することができる。
【図面の簡単な説明】
【００１５】
【図１】本発明の実施例の外部メデイア検査端末装置の外観を前方から示す図
【図２】外部メデイア検査端末装置の外観を前方から示す図
【図３】図１において、すべての扉を回転開放したときの外部メデイア端末装置の内部状態の外観を前方から示す図
【図４】図３において、外部メデイア検査端末装置１００の正面図
【図５】図３において、外部メデイア検査端末装置１００の側面図
【図６】外部メデイア検査端末装置の側面や背面に壁や障害物があっても、保守性がよいことを示す図
【発明を実施するための形態】
【００１６】
以下、本発明の実施例について図面に基づいて説明する。
【００１７】
図１は、本発明の実施例の外部メデイア検査端末装置１００の外観を前方から示す図である。図２は、外部メデイア検査端末装置１００の外観を前方から示す図である。図３は、図１において、すべての扉を回転開放したときの外部メデイア検査端末装置１００の内部状態の外観を前方から示す図である。図４は、図３において、外部メデイア検査端末装置１００の正面図である。図５は、図３において、外部メデイア検査端末装置１００の側面図である。
【００１８】
外部メデイア検査端末装置１００は、制御系のシステムで、USBデバイスに代表される外部メデイアを使用しなければならないときに、コンピュータウイルスに対して安全性を検査してその結果を出力する装置である。
【００１９】
図１、図２に示されるように、外部メデイア検査端末装置１００は、全体形状が匡体１をなし、匡体１は、箱体の前面に回動開閉可能に設けた３つの前面扉２，３，４、両側方をそれぞれ形成する側方板５，６及び裏面を形成する裏面板７によって形成される。また、匡体１は、底部に底板８を有する。
【００２０】
３つの前面扉２，３，４は、匡体１に回転可能にして取り付けられる。
【００２１】
図３は、３つの前面扉２，３，４が開放された状態を示す。前面扉２は、最上部において、ヒンジによって匡体１に回転可能に取り付けられ、前面扉３は、中間部において、ヒンジによって匡体１に回転可能に取り付けられ、前面扉４は、最下部において、ヒンジによって匡体１に回動可能に取り付けられる。匡体１に対して、前面扉２は、前方方向で、鋭角から垂直まで時計方向に回動する。前面扉３は、前方方向で、水平から垂直まで反時計方向に回動する。前面扉４は、側方方向で、垂直から前方直角まで時計方向に回動する。
【００２２】
箱体内に、最上位の内部空間部１１、中間空間部１２及び最下位の内部空間部１３が形成される。すなわち、匡体１は、最上位の内部空間部１１、中間空間部１２及び最下位の内部空間部１３を有する。図１に示される場合、３つの前面扉２，３，４が、各空間部の前面に、垂直面を中心にして上から順に配置され、最上位の内部空間部１１、中間空間部１２及び最下位の内部空間部１３を閉じ、開けることができる。最上位の内部空間部１１、中間空間部１２及び最下位の内部空間部１３は、３つの前面扉２，３，４が閉じ、開けされたときに接着する扉座２A，３A，４Aを備える。
【００２３】
最上位の内部空間部１１は、情報入出力のための内部空間部とされ、中間空間部１２は、検査対象の媒体からのデータ入出力のための中間空間部とされ、最下位の内部空間部１３は、装置全体の操作のための内部空間部１３とされ、種別ごとに異なる作用空間部とされ、保守がし易くされる。
【００２４】
中間空間部内に「持参したUSB」と「セキュアエリアに持ち込むUSB」のUSB搭載接続装置、USB接続口を設けることができ、USB接続口には予備のUSB接続口を設けてもおくことができる。
【００２５】
図３〜図５において、箱体に内部に、タッチパネルモニター２１、スピーカー２２、プリンター２３、DVDドライブ２４、マルチカードリーダ２５、FDDドライブ２６、パソコン（PC）２７、無停電電源装置（UPS）２８及び配電装置２９からなる、結線された諸部材２０が配置される。
【００２６】
図３〜図５において、具体的には、前面扉２は、タッチパネルモニター２０を有して形成される。すなわち、タッチパネルモニター２１を回動することで前面扉２が回動する。最上位の内部空間部１１には、室内の両サイドに前面扉２に向けて、スピーカー２２及び奥面にパネルサーモ３１が配置される。
【００２７】
中間空間部１２には、前面扉３に向けて、プリンター２３、DVDドライブ２４、マルチカードリーダ２５、FDDドライブ２６が配置される。そして、前面扉３には、インターフェイス出入口としてのプリンター出口２３A、DVDドライブ媒体挿入口２４A、マルチカードリーダ用マルチカード挿入口２５A、FDDドライブ媒体挿入口２６Aが形成され、検査対象の媒体からのデータの入力と結果の出力がなされる。
【００２８】
最下位の内部空間部１３には、パソコン（PC）２７、無停電電源装置（UPS）２８及び配電装置２９が配設される。パソコン（PC）２７、無停電電源装置（UPS）２８及び配電装置２９は、前面扉４の裏側に取り付けられる。配電装置２９は、配電用タップ３２及びモニターアダプタ３３からなる。配電用タップ３２は、無停電電源装置（UPS）２８とPS27をはじめとして匡体各種電気品と結ぶ配電盤あるいは連結器として機能し、モニターアダプタ３３は、タッチパネルモニター２０の調整機能を有する。
【００２９】
以上のように、  外部メデイア検査のためのデータ及び情報を入力し、入力データ及び情報を予め定められた手法によって情報処理することで、外部メデイア情報処理結果を出力する外部メデイア検査端末装置１００が構成される。
【００３０】
外部メデイア検査端末装置１００は、箱体と、箱体の前面に回動開閉可能に設けた３つの前面扉、両側方をそれぞれ形成する側方板及び裏面を形成する裏面板と、箱体に内部に配置された、タッチパネルモニター、スピーカー、プリンター、DVDドライブ、マルチカードリーダ、FDDドライブ、パソコン（PC）、無停電電源装置（UPS）及び配電装置からなる、結線された諸部材と、からなる。DVDドライブ、マルチカードリーダ、FDDドライブは、コンピュータウイルス検査対象の媒体の入力デバイスを構成する。タッチパネルモニター２０は、操作者が画面上で検査上の操作を行うためのもので、検査結果を確認するためのデバイスである。PCは、外部メデイア検査端末装置１００における検査のためのチェックを行い、検査結果をタッチパネルモニター２０の画面に表示させるもので、異なる複数のエンジンを利用し、ポリシーに従って、ウイルススキャンを行い、外部メデイアのファイルのチェックを行う。
【００３１】
箱体が、箱体内に形成された、情報入出力のための最上位の内部空間部、データ入出力のための中間空間部及び装置全体の操作のための最下位の内部空間部を有し、３つの前面扉が、各空間部の前面に、上から順に垂直面を中心にして配置される。
【００３２】
この配置に元になって、最上位の前面扉が、扉自体にタッチパネルモニターが形成されて、タッチパネルモニター付きの扉とされ、回転開放されると、最上位の内部空間部に配設されたスピーカーを前面に向けて露出させる。
【００３３】
中間の前面扉が、データ入出力のためのデータ入出力孔が形成されたデータ入出力孔を有する扉とされ、回動開放されると、中間空間部内に配設されたプリンター、DVDドライブ、マルチカードリーダ及びFDDドライブを前面に向けて露出させる。
【００３４】
最下位の前面扉が、扉裏面にPC、UPS及び配電装置が取り付けられ、回動開放されると、最下位の内部空間部を作業空間部として露出させる。扉裏面にPC、UPS及び配電装置が取り付けられることで、最下位の内部空間部１３に内部作業のための作業スペースを十分に確保することができる。
【００３５】
前面扉２，３，４の回動に伴う回動開放によって、スピーカーの前面に向けて露出、プリンター、DVDドライブ、マルチカードリーダ及びFDDドライブの前面に向けて露出、及びPC、UPS及び配電装置の前面に向けて露出と作業空間部の露出がなされることで、匡体１の前面から匡体内にあるすべての装置、部材を保守することができる。
【００３６】
匡体前面扉の採用によって、匡体内にあるすべての装置、部材を匡体前面からアクセスして保守することが可能である。
【００３７】
これによって、図６に示されるように、外部メデイア検査端末装置１００の側面や背面に壁や障害物４１があっても、匡体１を動かすことなく保守が可能である。
【００３８】
３つの前面扉が、箱体の前面に回動開閉可能に設けられていて、
３つの前面扉を回動開放させ、最上位の内部空間部、中間空間部及び最下位の内部空間部をそれぞれ箱体の前面に対して露出させ、箱体に内部に配置された、タッチパネルモニター、スピーカー、プリンター、DVDドライブ、マルチカードリーダ、FDDドライブ、パソコン（PC）、無停電電源装置（UPS）及び配電装置からなる、結線された諸部材を箱体の前面に対して露出させることからなる外部メデイア端末装置の操作方法が構成される。
【００３９】
外部メデイア検査端末装置１００は、最上位の内部空間部、中間空間部及び最下位の内部空間部を種別ごとに区画しているので、前面扉２，３，４を別々の鍵で管理するようにすることができる。これによって、例えば、プリンター２３を用紙の交換を行う保守専門要員とPCを操作できる端末管理者の職権分離が可能になる。
【００４０】
外部メデイア検査端末装置１００は、内部作業の効率化のため、３つの前面扉のそれぞれをオープン状態に維持できるロック機構（図示せず）を搭載している。
【００４１】
外部メデイア検査端末装置１００は、匡体１の裏面板７に孔を設けて、匡体１を壁に容易に固定することができる。また、底部８を形成する底板に孔を設けて、地面にアンカー止のボルトを貫通させることができる。これの構造の採用で、外部メデイア端末装置１００の保守作業中の転倒を防止することができる。
【符号の説明】
【００４２】
１…匡体、２，３，４…前面扉、５，６…側方板、７…裏面板、８…底部、１１…最上位の内部空間部、１２…中間空間部、１３…最下位の内部空間部、２０…諸部材、２１…タッチパネルモニター、２２…スピーカー、２３…プリンター、２４…DVDドライブ、２５…マルチカードリーダ、２６…FDDドライブ、２７…パソコン（PC）、２８…無停電電源装置（UPS）、２９配電装置、３２…配電用タップ、３３モニターアダプタ、１００…外部メデイア検査端末装置（キオスク端末装置）。
【図１】
2018128754.tif 000003
【図２】
2018128754.tif 000004
【図３】
2018128754.tif 000005
【図４】
2018128754.tif 000006
【図５】
2018128754.tif 000007
【図６】
2018128754.tif 000008